(57)【要約】【課題】水銀ブリッジを防止するための冷却をランプ光源の使用状況に合わせて制御することが可能な光源冷却装置、画像投射装置、およびプログラムを提供することを目的とする。【解決手段】発明の一実施の形態の光源冷却装置は、ランプ光源と、上記ランプ光源に水銀ブリッジが発生しやすい条件に該当するかを判定する判定手段と、上記判定手段により上記水銀ブリッジが発生しやすい条件に該当すると判定された場合に上記ランプ光源の消灯後に上記ランプ光源の冷却を強める冷却手段と、を有する。【選択図】図６
2018072741.tif 000002
【特許請求の範囲】
【請求項１】
ランプ光源と、
前記ランプ光源に水銀ブリッジが発生しやすい条件に該当するかを判定する判定手段と、
前記判定手段により前記水銀ブリッジが発生しやすい条件に該当すると判定された場合に前記ランプ光源の消灯後に前記ランプ光源の冷却を強める冷却手段と、
を有することを特徴とする光源冷却装置。
【請求項２】
前記判定手段は、前記ランプ光源の点灯開始から前記ランプ光源の点灯終了までの点灯時間に基づいて前記水銀ブリッジが発生しやすい条件に該当するかを判定する、
ことを特徴とする請求項１に記載の光源冷却装置。
【請求項３】
前記点灯時間は、９０秒以内であることを特徴とする請求項２に記載の光源冷却装置。
【請求項４】
前記判定手段は、前記ランプ光源の前記消灯の直前の電力値に基づいて前記水銀ブリッジが発生しやすい条件に該当するかを判定する、
ことを特徴とする請求項１に記載の光源冷却装置。
【請求項５】
前記判定手段は、前記ランプ光源の前記消灯の直前の電圧値に基づいて前記水銀ブリッジが発生しやすい条件に該当するかを判定する、
ことを特徴とする請求項１に記載の光源冷却装置。
【請求項６】
前記判定手段は、前記ランプ光源の通算の使用時間に基づいて前記水銀ブリッジが発生しやすい条件に該当するかを判定する、
ことを特徴とする請求項１に記載の光源冷却装置。
【請求項７】
前記冷却を強める手段は、冷却時間を長くする、
ことを特徴とする請求項１に記載の光源冷却装置。
【請求項８】
前記冷却を強める手段は、前記ランプ光源の管球を冷却するように配置されたファンの回転数を増加する、
ことを特徴とする請求項１に記載の光源冷却装置。
【請求項９】
光源の光により映像を投影する画像投射装置であって、
前記光源となるランプ光源と、
前記ランプ光源に水銀ブリッジが発生しやすい条件に該当するかを判定する判定手段と、
前記判定手段により前記水銀ブリッジが発生しやすい条件に該当すると判定された場合に前記ランプ光源の消灯後に前記ランプ光源の冷却を強める冷却手段と、
を有することを特徴とする画像投射装置。
【請求項１０】
ランプ光源を制御する光源冷却装置のコンピュータを、
前記ランプ光源に水銀ブリッジが発生しやすい条件に該当するかを判定する判定部と、
前記判定部により前記水銀ブリッジが発生しやすい条件に該当すると判定された場合に前記ランプ光源の消灯後に前記ランプ光源の冷却を制御する冷却制御部と、
して機能させるためのプログラム。
【発明の詳細な説明】
【技術分野】
【０００１】
本発明は、光源冷却装置、画像投射装置、およびプログラムに関する。
【背景技術】
【０００２】
画像投射装置のランプ光源として近年広く用いられている超高圧水銀ランプは、管球内に封入された水銀蒸気のアーク放電によって発光する。この水銀蒸気は、超高圧水銀ランプの消灯により温度が低下し、液化する。通常、超高圧水銀ランプの消灯時の温度は電極よりも管球内壁の方が低温になるため、液化した水銀（液化水銀）は管球内壁に付着する。しかし、超高圧水銀ランプの冷却状況や点灯時の消費電力の大きさなどにより電極が管球内壁よりも低温になる場合がある。この場合に、電極に液化水銀が付着して電極間に水銀ブリッジが生じることがある。水銀ブリッジが発生すると、電極間のショートにより不点灯の原因となることが知られている。
【０００３】
ランプ光源の消灯後、一般的に、光源冷却装置によりランプ光源を一定時間冷却するようなことが行われており、これが水銀ブリッジの防止効果があることが知られている。また、画像投射装置においてランプ光源の水銀ブリッジを防止する技術を開示した文献がある。この文献では、ランプ光源の消灯直前にランプ光源の電極間に高い電圧を印加するなどして電極の温度を上昇させることにより、電極と管球内壁の温度差を拡大する。これにより、電極の温度が水銀の液化する温度に下がるまでの時間を延ばし、管球内壁を電極よりも先に水銀の液化する温度に到達させて管球内壁に液化水銀を付着させる（特許文献１参照）。
【発明の概要】
【発明が解決しようとする課題】
【０００４】
しかし、従来の光源冷却装置は、消灯後に一律的に一定風量、一定時間冷却を行うものであり、必ずしも使用状況に合った冷却を行うものではない。そのため、使用状況によっては、水銀ブリッジの防止に対して、通常の冷却では冷却不足になるなどの問題がある。
【０００５】
本発明は、上記に鑑みてなされたものであって、水銀ブリッジを防止するための冷却をランプ光源の使用状況に合わせて制御することが可能な光源冷却装置、画像投射装置、およびプログラムを提供することを目的とする。
【課題を解決するための手段】
【０００６】
上述した課題を解決するために、発明の一実施の形態の光源冷却装置は、ランプ光源と、上記ランプ光源に水銀ブリッジが発生しやすい条件に該当するかを判定する判定手段と、上記判定手段により上記水銀ブリッジが発生しやすい条件に該当すると判定された場合に上記ランプ光源の消灯後に上記ランプ光源の冷却を強める冷却手段と、を有する。
【発明の効果】
【０００７】
本発明によれば、水銀ブリッジを防止するための冷却をランプ光源の使用状況に合わせて制御することが可能になるという効果を奏する。
【図面の簡単な説明】
【０００８】
【図１】図１は、第１実施形態に係るプロジェクタの一例を示す外観斜視図である。
【図２】図２は、プロジェクタの光学エンジンの構成の一例を示す図である。
【図３】図３は、ランプ光源の構造の一例を示す説明図である。
【図４】図４は、管球の管球内壁と電極の温度変化の一例を示す図である。
【図５】図５は、プロジェクタの制御ボードの構成の一例を示す図である。
【図６】図６は、プロジェクタの機能の一例を示す図である。
【図７】図７は、ランプ光源の消灯時の、制御部（「判定部」と「冷却制御部」を含む）によるファンの制御フローの一例を示す図である。
【図８】図８は、変形例１の、ファンの制御フローの一例を示す図である。
【図９】図９は、変形例２の、ファンの制御フローの一例を示す図である。
【図１０】図１０は、変形例３の、ファンの制御フローの一例を示す図である。
【発明を実施するための形態】
【０００９】
以下、添付図面を参照しながら、本発明に係る光源冷却装置、画像投射装置、およびプログラムの実施の形態を詳細に説明する。本実施の形態では、画像投射装置のプロジェクタへの適用例を示す。
【００１０】
（第１の実施の形態）
図１は、第１実施形態に係るプロジェクタの一例を示す外観斜視図である。図１に示すプロジェクタ１は、色順次方式（単板ＤＬＰ（Digital  Light  Processing））のプロジェクタである。プロジェクタ１は、光を投射する光学エンジン１０や、その光の発生源のランプ光源を冷却するファン２０や、プロジェクタ１全体を制御する制御ボード３０などを有する。
【００１１】
図２は、プロジェクタ１の光学エンジン１０の構成の一例を示す図である。図２には、光学エンジン１０の構成を外観斜視図により示している。図２に示すように、光学エンジン１０は、ランプ光源１１、防爆ガラス１２、カラーホイール１３、ライトトンネル１４、リレーレンズ１５、シリンダミラー１６、凹面ミラー１７、光変調素子１８、投射光学系１９などを有する。
【００１２】
ランプ光源１１は、超高圧水銀ランプ（高圧水銀ランプでも良い）である。
【００１３】
カラーホイール１３は、ランプ光源１１と光変調素子１８との間に配置され、制御ボード３０による制御により高速回転する。図２に示すカラーホイール１３は、一例として円周上にＲ（Ｒｅｄ）Ｇ（Ｇｒｅｅｎ）Ｂ（Ｂｌｕｅ）各色の透過フィルタを配置した組み合わせのものである。この他、ＲＧＢ以外の組み合わせのフィルタやＲＧＢの透過フィルタに更に透明フィルタを組み合わせたものなどを配置しても良い。
【００１４】
光変調素子１８（ＤＭＤ（Digital  Micromirror  Device）素子）は、光の入射面に多数のマイクロミラーを有する。光変調素子１８は、制御ボード３０からの画像や映像の投影信号に基づき、各マイクロミラーを個別に駆動する。これにより、光変調素子１８は、投影面（不図示）への赤・緑・青の光の投影を画素毎に制御する。例えば、赤を投影する場合、赤に指定されている画素に対応するマイクロミラーを赤の光が入射する間オン状態にし、その他のマイクロミラーをオフ状態にする。
【００１５】
このプロジェクタ１の構成下において、ランプ光源１１からの出射光は、防爆ガラス１２を通過し、高速回転するカラーホイール１３で赤・緑・青の光に時分割される。時分割された光は、ライトトンネル１４、リレーレンズ１５、シリンダミラー１６、凹面ミラー１７を経て光変調素子１８のマイクロミラーに入射し、光の入射時にオン状態になっているマイクロミラーにおける反射光が投射光学系１９側に進む。そして、投射光学系１９を通過した時分割の光が上記投影面上で順次重なることにより投影面に画像や映像が形成される。
【００１６】
ファン２０は、ランプ光源１１に風を送り込む向きに配置されており、制御ボード３０による制御により回転する。本実施の形態では、ランプ光源１１の消灯時の、ファン２０を対象とする制御について示す。
【００１７】
図３は、ランプ光源１１の構造の一例を示す説明図である。図３に示すランプ光源１１は、アーク放電を利用して光を発生させる放電ランプであり、光が発生する管球４０や、その光を所定の方向に集めるリフレクタ４１などにより構成されている。管球４０内の空間には、一対の電極（開口側電極４２ａ、リフレクタ側電極４２ｂ）４２が備えられ、水銀が封入されている。
【００１８】
ここで、ランプ光源１１の点灯時と消灯時の封入された水銀の状態変化について説明する。点灯時、開口側電極４２ａとリフレクタ側電極４２ｂとの間に高電圧がかかると、これらの電極間にアーク放電が発生し、放電した電子が管球４０内の高圧の水銀蒸気との間で相互作用し、輝線スペクトルや連続スペクトルが発生するなどして発光を引き起こす。
【００１９】
消灯時は、開口側電極４２ａとリフレクタ側電極４２ｂとの間の電圧が０になるため、アーク放電が消滅し、気化した水銀蒸気は管球４０内部の温度低下により液体へと戻る。液化する際に水銀は低温部に付着する。
【００２０】
図４は、管球４０の管球内壁４０ａと電極４２の温度変化の一例を示す図である。図４に示す各グラフＡ１、Ａ２は、それぞれ、点灯時における電極４２と管球内壁４０ａとの温度変化の関係を示すものである。
【００２１】
ランプ光源１１は、点灯開始直後の一定期間（ウォーミング期間）において定格電力よりも低い電力で動作する。このため、図４のウォーミング期間（点灯開始時〜経過時間ｘ１）に、電極４２の温度は、低い平衡温度に向けて緩やかに上昇する。管球内壁４０ａの温度は、電極４２の温度上昇に対して鈍く追随し、電極４２よりも更に緩やかに上昇する。
【００２２】
ウォーミング期間が過ぎると、ランプ光源１１が定格電力で動作し、電極４２は、高い平衡温度に瞬時に到達する。管球内壁４０ａの温度は、引き続き緩やかに上昇し、時間の経過と共に電極４２の温度に近づく。
【００２３】
このような温度変化をとるランプ光源１１に対し、管球内壁４０ａと電極４２の温度差が十分に広がらないままランプ光源１１を消灯する場合がある。このような使用状況においては、電極４２の温度が管球内壁４０ａの温度と同程度の時間またはそれよりも先に水銀蒸気が液化する温度にまで下がるため、電極４２に液化水銀が付着する可能性が高まる。つまり水銀ブリッジが発生するリスクが大きくなる。このリスクは、管球内壁４０ａと電極４２の温度差が小さい程大きくなる。なお、「水銀ブリッジ」は、開口側電極４２ａとリフレクタ側電極４２ｂとの間が液化水銀で繋がり、アーク放電が発生しない状態のことである。「リスクが大きくなる」とは、例えば水銀ブリッジの発生確率がより高くなるということである。
【００２４】
本実施の形態では、制御ボード３０によりファン２０を制御して管球内壁４０ａの冷却を速める。これにより、水銀蒸気が液化する温度に達するまで、電極４２の温度を管球内壁４０ａの温度よりも高く維持し、水銀ブリッジの発生を防止する。
【００２５】
図５は、プロジェクタ１の制御ボード３０の構成の一例を示す図である。図５に示す制御ボード３０は、メイン制御回路３００や、タイマ３０１や、光変調素子制御回路３０２や、ランプ光源制御回路３０３などを有する。
【００２６】
メイン制御回路３００は、ＣＰＵ（Central  Processing  Unit）やＲＯＭ（Read  Only  Memory）やＲＡＭ（Random  Access  Memory）などのコンピュータを有し、タイマ３０１や、光変調素子制御回路３０２や、ランプ光源制御回路３０３や、入出力インタフェース３０４や、カラーホイール１３や、ファン２０などを統括的に制御する。
【００２７】
タイマ３０１は、メイン制御回路３００からの計時開始の命令に基づき計時を開始し、メイン制御回路３００からの計時終了の命令に基づき計時を終了する。タイマ３０１は、計時の終了後に計時した時間を「０」にリセットする。
【００２８】
光変調素子制御回路３０２は、メイン制御回路３００から入力される投影信号（フレームデータ）を基に光変調素子１８のマイクロミラーを個別に制御するためのオンまたはオフの制御信号を生成する。そして、光変調素子制御回路３０２は、生成した制御信号をカラーホイール１３が回転するタイミング信号に同期させて光変調素子１８に出力する。
【００２９】
ランプ光源制御回路３０３は、メイン制御回路３００からの点灯の命令や消灯（点灯終了）の命令に基づいてランプ光源１１の点灯や消灯を制御する。具体的に、ランプ光源制御回路３０３は、ランプ光源１１を交流矩形波の出力波形により制御する。例えば、メイン制御回路３００から点灯の命令が入力されると、ランプ光源制御回路３０３は、先ず振幅値（交流電圧値）が低い出力波形、つまり定格電力よりも低い電力でランプ光源１１を発光させ、このウォーミング期間後、出力波形の振幅値を高くし、定格電力でランプ光源１１を発光させる。
【００３０】
入出力インタフェース３０４は、投影信号（映像信号や画像信号など）を入力するためのインタフェースである。例えば、ＬＡＮ（Local  Area  Network）に接続するＬＡＮカードなどである。この他、例えばＵＳＢ（Universal  Serial  Bus）メモリを接続するためのものであっても良い。
【００３１】
この構成において、メイン制御回路３００やタイマ３０１やファン２０などが「光源冷却装置」に対応する。この内のメイン制御回路３００やタイマ３０１などが「判定手段」に対応し、メイン制御回路３００やファン２０などが「冷却手段」に対応する。
【００３２】
図６は、プロジェクタ１の機能の一例を示す図である。メイン制御回路３００（図５参照）は、電源スイッチ（不図示）の入り操作などに基づきＣＰＵがＲＯＭのプログラムを読み出すなどして制御部３０００（「判定部３００１」と「冷却制御部３００２」とを含む）を実現し、その後スタンバイ状態になるなどして待機する。
【００３３】
スタンバイ状態において、入出力インタフェース３０４から映像信号が入力された場合、制御部３０００が映像を投影する処理を実行する。映像を投影する処理において、制御部３０００はランプ光源制御回路３０３にランプ光源１１の点灯の開始を命令し、更にタイマ３０１に計時の開始を命令する。その後、制御部３０００は、ランプ光源制御回路３０３からウォーミング期間終了を示す通知を受けると、カラーホイール１３に回転数をセットして回転を開始させ、映像のフレームデータを光変調素子制御回路３０２に出力する。
【００３４】
また、制御部３０００は、入出力インタフェース３０４などから投影の終了を示す命令を受けた場合、終了処理を実行する。この終了処理において、制御部３０００は、ランプ光源制御回路３０３に対して終了を命令する。カラーホイール１３や光変調素子制御回路３０２の制御の開始後であれば、カラーホイール１３や光変調素子制御回路３０２に対しても終了を命令する。それから、制御部３０００は、水銀ブリッジが発生しやすい条件に該当するかの判定処理を行って、その判定結果に対応する冷却レベル（強冷却や弱冷却など）でファン２０を制御する。ファン２０の停止後、制御部３０００は、タイマ３０１に計時の停止や、計時時間の「０」へのリセットを命令するなどして、スタンバイ状態に戻る。なお、「投影の終了を示す命令」に、電源スイッチの切り操作を含めても良い。この場合、制御部３０００はバックアップ電源により上記終了処理を行い、ファン２０の制御などを行った後にシャットダウンする。
【００３５】
制御部３０００による処理において、タイマ３０１へ計時の開始を命令する処理や上記判定処理などを、主に上記「判定部３００１」が行う。また、その判定結果を基にファン２０を制御する処理を主に上記「冷却制御部３００２」が行う。
【００３６】
図７は、ランプ光源１１の消灯時の、制御部３０００（「判定部３００１」と「冷却制御部３００２」を含む）によるファン２０の制御フローの一例を示す図である。制御部３０００は、ランプ光源制御回路３０３に対して終了を命令し、ランプ光源１１の消灯後、次の判定処理を行う。
【００３７】
先ず、制御部３０００（「判定部３００１」）は、タイマ３０１の計時時間を読み取る（Ｓ１）。読み取った計時時間は、ランプ光源１１の点灯から消灯までの点灯時間を示す。
【００３８】
次に、制御部３０００（「判定部３００１」）は、水銀ブリッジが発生しやすい条件に該当するかの判定として、ステップＳ１で読み取った計時時間が予め決めた所定の範囲内であるかを判定する（Ｓ２）。
【００３９】
「所定の範囲」とは、水銀が十分に蒸発する１０秒以上、電極４２と管球内壁４０ａの温度差の小さい９０秒以内、特に６０秒以内が好ましく、特に３０秒以内が望ましい。
【００４０】
上記計時時間が所定の時間内である場合（ステップＳ２：Ｙｅｓ判定）、制御部３０００（「「冷却制御部３００２」）は、弱冷却の設定よりも回転数を増加させた強冷却の設定でファン２０を回転制御する（Ｓ３）。これにより、電極４２に対する管球内壁４０ａの冷却スピードが速められ、管球内壁４０ａの温度が電極４２よりも先に水銀が液化する温度に下げられる。つまり、液化水銀は低温部である管球内壁４０ａに付着し、水銀ブリッジの発生を防ぐことができる。
【００４１】
一方、所定の時間外である場合（ステップＳ２：Ｎｏ判定）は、水銀ブリッジが発生する確率は低いため、弱冷却を行う（Ｓ４）。
【００４２】
そして、ファン２０の停止後、制御部３０００（「判定部３００１」）は、タイマ３０１に計時の停止や、計時時間の「０」へのリセットを命令するなどしてスタンバイ状態に戻る（Ｓ５）。
【００４３】
なお、本実施の形態では、強冷却の設定として、ファン２０の回転数を弱冷却の設定よりも増加させる例を示しているが、ファン２０の駆動時間を弱冷却の設定よりも長くすることで強冷却の設定を作り出すようにしても良い。この場合には、ファンの回転数を増加させることによる騒音の問題を回避することができる。
【００４４】
また、ファン２０の回転数の増加と、ファン２０の駆動時間の延長とを組み合わせて、強冷却の設定を作り出すようにしても良い。また、ファン２０を複数設け、通常よりもファン２０の駆動数を増加させることにより強冷却の設定を作り出すようにしても良い。
【００４５】
また、本実施の形態では、通常時に弱冷却を実施するものを前提に、弱冷却より冷却を強めた強冷却の設定を設けたが、プロジェクタ１の構成や設置環境により、通常時の冷却を行わない設定であっても良い。その場合は、選択的に強冷却のみを実施する。
【００４６】
また、本実施の形態では、制御部３０００が判定処理において、強冷却にするか弱冷却にするかの２パターンの冷却レベルの判定を、タイマの計時時間が所定範囲以内かどうかで行う例を示した。しかし、上記所定範囲を更に細かな範囲に分割し、それらの範囲毎に対応する冷却レベルを増加しても良い。例えば、上記「所定の範囲」を「１０秒以上〜６０秒以内」に設定した場合、更に「１０秒以上〜３０秒未満」と「３０秒以上〜６０秒以内」の２つの範囲に分割する。「１０秒以上〜３０秒未満」では、水銀ブリッジが生じる可能性が極めて高いため強冷却を実施し、「３０秒以上〜６０秒以内」では、水銀ブリッジが生じる可能性が「１０秒以上〜３０秒未満」のときよりも少し低くなるため強冷却と弱冷却の間の強さで冷却する。
【００４７】
また、本実施の形態では、「冷却手段」としてファン２０を使用する例を示したが、この限りではない。ファン２０以外にも、管球内壁４０ａを冷却することができるものであれば、その他のものであっても良い。
【００４８】
また、本実施の形態では、画像投射装置の一例としてプロジェクタを示したが、画像投射装置はこの限りではない。光源を利用して画像を投射するものであればその他のものであっても良い。
【００４９】
以上のように、本実施の形態では、水銀ブリッジを防止するための冷却を、ランプ光源の使用状況に合わせて制御することが可能になる。例えば、ランプ光源の点灯時間の判定により冷却レベルを決定し、ファンの冷却を細かく設定することができる。これにより、ファンを必要以上に長時間駆動する必要がなくなり、例えば使用状況により冷却を必要としない場合はファンの停止を待たずに片付けることができる。つまり、ファンの停止を待つ時間が大幅に縮まり、ユーザビリティが向上する。
【００５０】
（変形例１）
実施の形態に示す制御部３０００は、計時時間を読み取り、その読み取った計時時間が所定範囲以内かどうかにより、水銀ブリッジが発生しやすい条件に該当するかを判定した（図７のステップＳ１〜ステップＳ２参照）。制御部３０００は、計時時間が所定範囲以内かどうかに代わり、ランプ光源１１の消灯時（消灯直前）の電力値により、水銀ブリッジが発生しやすい条件に該当するかを判定しても良い。
【００５１】
具体的には、制御部３０００がランプ光源制御回路３０３からランプ光源１１の消灯直前の電力値を算出する。例えばランプ光源制御回路３０３がランプ光源１１に出力する交流矩形波の消灯直前の振幅値（交流電圧値）を取得し、この振幅値からランプ光源１１の電力値を算出する。
【００５２】
図８は、変形例１の、ファン２０の制御フローの一例を示す図である。図８の制御フローは、図７の制御フローにおいてステップＳ１とステップＳ２に示す処理を、図８にステップＳ１−１とステップＳ２−１として示す処理に変形したものである。
【００５３】
ステップＳ１−１において、制御部３０００は、ランプ光源制御回路３０３から消灯直前の振幅値を取得し、この振幅値からランプ光源１１の電力を算出する。
【００５４】
ステップＳ２−１において、制御部３０００は、ステップＳ１−１において算出した電力値が閾値以下であるかを判定する。「閾値」は、例えば２５０Ｗ（ワット）定格のランプ光源の場合１５０Ｗ以下などに設定する。
【００５５】
算出した電力値が上記閾値以下であった場合（ステップＳ２−１：Ｙｅｓ判定）、ステップＳ３において制御部３０００は、強冷却の設定でファン２０を回転制御する。
【００５６】
一方、算出した電力値が上記閾値を超えていた場合（ステップＳ２−１：Ｎｏ判定）、ステップＳ４において制御部３０００は、弱冷却の設定でファン２０を回転制御する。
【００５７】
なお、消灯直前にランプ光源１１の電力値が瞬間的に変更されるなどして、１つの電力値だけでは正常に判定することができない場合もある。そのような場合は、消灯直前の１つの電力値だけでなく、例えば消灯前３０秒間の平均の電力値を算出し、平均電力値が閾値を超えるか超えないかにより判定を行っても良い。
【００５８】
（変形例２）
また、制御部３０００は、ランプ光源１１の消灯時（消灯直前）の電圧値により、水銀ブリッジが発生しやすい条件に該当するかを判定しても良い。
【００５９】
具体的には、制御部３０００がランプ光源制御回路３０３からランプ光源１１の消灯直前の電圧値を取得する。例えばランプ光源制御回路３０３がランプ光源１１に出力する交流矩形波の消灯直前の振幅値（交流電圧値）を取得する。
【００６０】
図９は、変形例２の、ファン２０の制御フローの一例を示す図である。図９の制御フローは、図７の制御フローにおいてステップＳ１とステップＳ２に示す処理を、図９にステップＳ１−２とステップＳ２−２として示す処理に変形したものである。
【００６１】
ステップＳ１−２において、制御部３０００は、ランプ光源制御回路３０３から消灯直前の電圧値を取得する。
【００６２】
ステップＳ２−２において、制御部３０００は、ステップＳ１−２において取得した電圧値が閾値以下であるかを判定する。「閾値」は、例えば１００Ｖ（ボルト）定格で６０Ｖ以下などに設定する。
【００６３】
取得した電圧値が上記閾値以下であった場合（ステップＳ２−２：Ｙｅｓ判定）、ステップＳ３において制御部３０００は、強冷却の設定でファン２０を回転制御する。
【００６４】
一方、算出した電圧値が上記閾値を超えていた場合（ステップＳ２−２：Ｎｏ判定）、ステップＳ４において制御部３０００は、弱冷却の設定でファン２０を回転制御する。
【００６５】
なお、ランプ光源１１の電圧値は電力値に依存しており、電力値が高いほど電圧値も高くなる。従って電力値に応じて補正をかけた電圧値により判定しても良い。
【００６６】
（変形例３）
また、制御部３０００は、ランプ光源１１の通算の使用時間により、水銀ブリッジが発生しやすい条件に該当するかを判定しても良い。例えばＲＯＭにフラッシュＲＯＭを使用し、そのフラッシュＲＯＭに、ランプ光源１１の通算の使用時間を示す通算使用時間情報を記憶させる記憶領域を設ける。そして、制御部３０００は、フラッシュＲＯＭの通算使用時間情報を随時更新して、水銀ブリッジが発生しやすい条件に該当するかを更新後の通算使用時間により判定する。
【００６７】
ランプ光源１１の使用時間は、例えばランプ光源１１の点灯時間などと定義する。この場合、通算の使用時間は、プロジェクタ１の電源スイッチを入れてから切るまでの間にランプ光源１１が点灯した通算の時間などとなる。この他、ランプ光源１１の新規導入以後や交換以後にランプ光源１１が点灯した通算の時間などを上記通算の使用時間としても良い。
【００６８】
図１０は、変形例３の、ファン２０の制御フローの一例を示す図である。図１０の制御フローは、図７の制御フローにおいてステップＳ２に示す処理を、図１０にステップＳ２−３とステップＳ２−４として示す処理に変形したものである。
【００６９】
ステップＳ２−３において、制御部３０００は、フラッシュＲＯＭから前回までの通算使用時間情報を読み出し、前回の通算使用時間にステップＳ１において取得した点灯時間（今回の使用時間）を加算する。加算後の通算使用時間情報は、制御部３０００がステップＳ５のスタンバイ状態になる前にフラッシュＲＯＭに上書き保存する。
【００７０】
ステップＳ２−４において、制御部３０００は、ステップＳ２−３の加算後の通算使用時間が閾値以上であるかを判定する。
【００７１】
加算後の通算使用時間が上記閾値以上であった場合（ステップＳ２−４：Ｙｅｓ判定）、ステップＳ３において制御部３０００は、強冷却の設定でファン２０を回転制御する。
【００７２】
一方、加算後の通算使用時間が上記閾値未満であった場合（ステップＳ２−４：Ｎｏ判定）、ステップＳ４において制御部３０００は、弱冷却の設定でファン２０を回転制御する。
【００７３】
なお、プロジェクタ１の電源スイッチを入れてから切るまでの間にランプ光源１１が点灯した通算時間を通算使用時間とする場合は、電源スイッチを入れた後の当該プログラムの起動処理において通算使用時間情報を通算使用時間「０」に初期設定する。
【００７４】
実施の形態及び各変形例のプロジェクタで実行されるプログラムは、ＲＯＭ等に予め組み込んで提供される。
【００７５】
実施の形態及び各変形例のプロジェクタで実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供しても良い。
【００７６】
また、実施の形態及び各変形例のプロジェクタで実行されるプログラムを、インターネット等のネットワークに接続されたコンピュータ上に格納し、ネットワーク経由でダウンロードさせることにより提供するように構成しても良い。また、実施の形態及び各変形例のプロジェクタで実行されるプログラムをインターネット等のネットワーク経由で提供または配布するように構成しても良い。
【符号の説明】
【００７７】
３００    メイン制御回路
３０００  制御部
３００１  判定部
３００２  冷却制御部
【先行技術文献】
【特許文献】
【００７８】
【特許文献１】特開２０１４−０８１５４７号公報
【図１】
2018072741.tif 000003
【図２】
2018072741.tif 000004
【図３】
2018072741.tif 000005
【図４】
2018072741.tif 000006
【図５】
2018072741.tif 000007
【図６】
2018072741.tif 000008
【図７】
2018072741.tif 000009
【図８】
2018072741.tif 000010
【図９】
2018072741.tif 000011
【図１０】
2018072741.tif 000012